【手続補正書】
【提出日】平成20年7月28日(2008.7.28)
【手続補正１】
【補正対象書類名】明細書
【補正対象項目名】発明の名称
【補正方法】変更
【補正の内容】
【発明の名称】信号処理装置及び信号処理方法
【手続補正２】
【補正対象書類名】明細書
【補正対象項目名】特許請求の範囲
【補正方法】変更
【補正の内容】
【特許請求の範囲】
【請求項１】
コンテンツの信号を記録する記録手段と、
前記記録手段から読み出された所定時間分の信号を、候補信号として保持する候補信号保持手段と、
前記候補信号を除いて前記記録手段から前記所定時間分だけ読み出した信号を比較信号として保持する比較信号保持手段と、
前記候補信号保持手段に保持されている前記候補信号と前記比較信号保持手段に保持されている前記比較信号を比較して、前記候補信号のコンテンツの内容と前記比較信号のコンテンツの内容が等しいか否かを判別する比較手段と、
前記記録手段から前記所定時間分の信号を読み出して前記候補信号保持手段と前記比較信号保持手段に供給すると共に、前記記録手段から前記候補信号として読み出す信号の信号読み出し位置と前記比較信号として読み出す信号の信号読み出し位置を切り換えて、前記比較手段の比較結果に基づき前記記録手段から内容が等しいコンテンツの信号を検出する制御手段とを有する信号処理装置。
【請求項２】
前記制御手段によって前記記憶手段から読み出された前記比較信号と比較された前記候補信号が、前記比較信号の内容と等しいコンテンツの信号と判別されたとき、前記候補信号を格納する候補信号格納手段を有する請求項１記載の信号処理装置。
【請求項３】
前記内容が等しいコンテンツの信号と判別された前記比較信号を用いて前記候補信号のノイズ除去を行い、ノイズが除去された前記候補信号を前記候補信号格納手段に格納する請求項２記載の信号処理装置。
【請求項４】
前記候補信号格納手段に前記候補信号が格納されているとき、
前記制御手段では、
前記候補信号格納手段に格納されている前記候補信号を前記候補信号保持手段に読み出して、前記記録手段から内容が等しいコンテンツの信号を検出すると共に、前記候補信号格納手段に格納されている前記候補信号の読み出しが完了したときには、前記記録手段から前記候補信号保持手段に前記候補信号を読み出す請求項２記載の信号処理装置。
【請求項５】
前記制御手段では、前記候補信号格納手段に格納されている前記候補信号と内容が等しいコンテンツの信号を前記記録手段から復元可能に削除する請求項２記載の信号処理装置。
【請求項６】
前記記録手段の記録領域の一部を前記候補信号格納手段として用いる請求項２記載の信号処理装置。
【請求項７】
前記比較手段では、
前記候補信号と前記比較信号との誤差量を前記所定時間分積算して判別値を求め、前記判別値が判別基準値よりも小さいとき、前記候補信号と前記比較信号は内容が等しいコンテンツの信号であると判別する請求項１記載の信号処理装置。
【請求項８】
前記制御手段では、
前記記録手段から前記比較信号として読み出す信号の信号読み出し位置を順次切り換えると共に、前記記録手段から前記比較信号とする信号の読み出しが完了したときには、前記記録手段から前記候補信号として読み出す信号の信号読み出し位置を切り換えて前記候補信号保持手段に保持する前記候補信号を更新して、再度前記記録手段から前記比較信号として読み出す信号の信号読み出し位置を順次切り換える請求項１記載の信号処理装置。
【請求項９】
前記制御手段では、
前記所定時間を切り換えて、前記候補信号と前記比較信号の読み出しを行う請求項１記載の信号処理装置。
【請求項１０】
コンテンツの信号が記録されている記録手段から所定時間分の信号を読み出して候補信号とすると共に、前記候補信号とは異なる前記所定時間分の信号を前記記録手段から読み出して比較信号とし、
前記候補信号として読み出す信号の信号読み出し位置と前記比較信号として読み出す信号の信号読み出し位置を切り換えながら、前記候補信号と前記比較信号を順次比較して、
比較結果に基づき前記記録手段から内容が等しいコンテンツの信号を検出する信号処理方法。
【手続補正３】
【補正対象書類名】明細書
【補正対象項目名】０００１
【補正方法】変更
【補正の内容】
【０００１】
【発明の属する技術分野】
この発明は、信号処理装置及び信号処理方法に関する。詳しくは、記録手段に記録されているコンテンツの信号から、所定時間分の候補信号と比較信号を読み出して、候補信号と比較信号を比較することでコンテンツの内容の等しい信号を検出するものである。さらに、等しい信号が検出されたときには、この信号を格納すると共に、格納された信号と等しい信号を記録手段から削除する。この信号の削除では、削除された信号を判別可能なように削除するものとして、記録手段を効率よく利用するものである。
【手続補正４】
【補正対象書類名】明細書
【補正対象項目名】０００５
【補正方法】変更
【補正の内容】
【０００５】
そこで、この発明では、内容の等しいコンテンツの信号を容易に検出できると共に記録手段を効率よく利用できる信号処理装置及び信号処理方法を提供するものである。
【手続補正５】
【補正対象書類名】明細書
【補正対象項目名】０００６
【補正方法】変更
【補正の内容】
【０００６】
【課題を解決するための手段】
この発明に係る信号処理装置は、コンテンツの信号を記録する記録手段と、記録手段から読み出された所定時間分の信号を、候補信号として保持する候補信号保持手段と、候補信号を除いて記録手段から所定時間分だけ読み出した信号を比較信号として保持する比較信号保持手段と、候補信号保持手段に保持されている候補信号と比較信号保持手段に保持されている比較信号を比較して、候補信号のコンテンツの内容と比較信号のコンテンツの内容が等しいか否かを判別する比較手段と、記録手段から所定時間分の信号を読み出して候補信号保持手段と比較信号保持手段に供給すると共に、記録手段から候補信号として読み出す信号の信号読み出し位置と比較信号として読み出す信号の信号読み出し位置を切り換えて、比較手段の比較結果に基づき記録手段から内容が等しいコンテンツの信号を検出する制御手段とを有するものである。また、制御手段によって記憶手段から読み出された比較信号と比較された候補信号が、比較信号の内容と等しいコンテンツの信号と判別されたとき、候補信号を格納する候補信号格納手段を有するものである。
【手続補正６】
【補正対象書類名】明細書
【補正対象項目名】０００７
【補正方法】変更
【補正の内容】
【０００７】
また、信号処理方法は、コンテンツの信号が記録されている記録手段から所定時間分の信号を読み出して候補信号とすると共に、候補信号とは異なる所定時間分の信号を記録手段から読み出して比較信号とし、候補信号として読み出す信号の信号読み出し位置と比較信号として読み出す信号の信号読み出し位置を切り換えながら、候補信号と比較信号を順次比較して、比較結果に基づき記録手段から内容が等しいコンテンツの信号を検出するものである。
【手続補正７】
【補正対象書類名】明細書
【補正対象項目名】００１７
【補正方法】変更
【補正の内容】
【００１７】
出力切換回路１１４では、制御部１５からの制御信号に基づき、ビデオ入力処理回路１１１に供給された信号に基づく画像を表示する場合には、ビデオ入力処理回路１１１から供給された輝度信号Ｙin及び色差信号Ｃｒin，Ｃｂinを選択して、出力用の輝度信号Ｙout及び色差信号Ｃｒout，Ｃｂoutとしてビデオ出力処理回路１１５に供給する。また、データストレージ部１３に記録されている映像符号化信号を再生して画像を表示する場合には、ビデオデコーダ１１３から供給された輝度信号Ｙrと色差信号Ｃｒr，Ｃｂrを選択して、出力用の輝度信号Ｙout及び色差信号Ｃｒout，Ｃｂoutとしてビデオ出力処理回路１１５に供給する。
【手続補正８】
【補正対象書類名】明細書
【補正対象項目名】００２０
【補正方法】変更
【補正の内容】
【００２０】
制御部１５には、操作部１６が接続されており、操作部１６からの操作信号ＰＳに基づいて制御信号を生成して各部に供給することにより、操作部１６での操作に応じた動作を信号処理装置１０で行うように制御する。また、制御部１５には表示部１７が接続されており、制御部１５から表示部１７に表示信号ＤＳを供給して、信号処理装置１０の動作状態や種々の情報を表示部１７で表示する。